(57)【要約】【課題】  自然に存在する天然物を利用して土壌のアルカリ化を可能にし、これを墓地におけるカロート内及びその周辺土壌で使用することで、骨を自然に還すことが可能な墓地カロート用土壌改良材の提供を図る。【解決手段】  墓地におけるカロート１１内及びその周辺の土壌ｐＨを改良するための墓地カロート用土壌改良材１であって、赤玉土２と、スコリア３と、麦飯石４と、を適宜混合して構成されている。このとき、前記麦飯石４が細粒化されている構成を採ることが考え得る。また、スコリア３と麦飯石４との混合割合が、容積比２０対１〜２０対３の範囲内であり、さらに、赤玉土２とスコリア３及び麦飯石４の混合物との混合割合が、容積比６対１〜６対３の範囲内である構成を採用し得る。【選択図】図１
2011116826.tif 000002
【特許請求の範囲】
【請求項１】
墓地におけるカロート内及びその周辺の土壌ｐＨを改良するための土壌改良材であって、
赤玉土と、スコリアと、麦飯石と、を適宜混合して構成されていることを特徴とする墓地カロート用土壌改良材。
【請求項２】
前記墓地カロート用土壌改良材において、麦飯石が、細粒化されていることを特徴とする請求項１に記載の墓地カロート用土壌改良材。
【請求項３】
前記墓地カロート用土壌改良材において、スコリアと麦飯石との混合割合が、容積比２０対１〜２０対３の範囲内であることを特徴とする請求項１または請求項２に記載の墓地カロート用土壌改良材。
【請求項４】
前記墓地カロート用土壌改良材において、赤玉土とスコリア及び麦飯石の混合物との混合割合が、容積比６対１〜６対３の範囲内であることを特徴とする請求項１から請求項３のいずれかに記載の墓地カロート用土壌改良材。
【発明の詳細な説明】
【技術分野】
【０００１】
本発明は、土壌改良材に関し、詳しくは、墓地におけるカロート内及びその周囲の土壌ｐＨを改良するための土壌改良材に関するものである。
【背景技術】
【０００２】
従来より、アルカリ質の資材使用等による土壌のアルカリ化が問題視されており、かかるアルカリ化土壌の性質を改良すべく、多くの土壌改良材が存在している。これら土壌改良材は、土壌のアルカリｐＨ調整を行うべく、硫酸塩資材(硫酸鉄、硫酸カリウム、硫酸マグネシウム、硫酸カルシウム等)等の化学薬品が使用されているが、効果は一過性に過ぎないという欠点を有している。また、かかる化学薬品は自然に存在する天然物ではないため、使用による土壌その他人体への影響も懸念されるところである。
【０００３】
上記問題は、墓地においても同様である。すなわち、墓地のカロート（納骨堂）には、亡くなった人の骨が埋葬されることとなるが、かかる骨を自然に還すことが望まれている。その際に障害となるのが、カロート内及びその周囲の土壌のアルカリ化である。かかるカロートは、いわゆるベタ基礎に強アルカリのコンクリートによって囲まれてできていたり、あるいは、基礎部分が強アルカリのコンクリートであってカロート自体は大谷石や御影石等の石材が使用されてできているため、カロート内及びその周囲の土壌は完全にアルカリ化の状態となってしまう。
【０００４】
【特許文献１】特開２００６―１１６４２２号公報
【特許文献２】特開平７―２３３３７０号公報
【発明の概要】
【発明が解決しようとする課題】
【０００５】
本発明は、上記問題点に鑑み、自然に存在する天然物を利用してアルカリ化された土壌を中和することが可能であって、これを墓地におけるカロート内及びその周囲土壌に使用することで、骨を自然に還すことが可能な墓地カロート用土壌改良材を提供することを課題とするものである。
【課題を解決するための手段】
【０００６】
上記課題を解決するため、本発明は、墓地における納骨室内のｐＨを改良するための土壌改良材であって、赤玉土と、スコリアと、麦飯石と、を適宜混合して構成されている。
【０００７】
また、本発明は、前記麦飯石が、細粒化されている構成を採用することが可能である。
【０００８】
さらに、本発明は、前記土壌改良材において、スコリアと麦飯石との混合割合が、容積比２０対１〜２０対３の範囲内である構成とすることができる。
【０００９】
そしてまた、本発明は、前記土壌改良材において、赤玉土とスコリア及び麦飯石の混合物との混合割合が、容積比６対１〜６対３の範囲内である構成とすることも考え得る。
【発明の効果】
【００１０】
本発明にかかる墓地カロート用土壌改良材によれば、墓地におけるカロート内及びその周囲に敷設することで、カロート内及びその周囲土壌のアルカリ化を抑制しつつ中和するように作用し、カロート周辺全体を中性に近い状態へと改良することができる。これにより、カロートへ埋葬された骨が、自然環境に近い状態の中で自然へと還ることができるようになる。
【図面の簡単な説明】
【００１１】
【図１】本発明にかかる墓地カロート用土壌改良材の構成を示す説明図である。
【図２】本発明にかかる墓地カロート用土壌改良材の使用例を示す説明図である。
【発明を実施するための形態】
【００１２】
本発明は、墓地におけるカロート１１内及びその周囲のアルカリ化に対し、自然に存在する天然物を利用して中和させることにより、該カロート１１内へ埋葬した骨１２が自然に還ることを可能ならしめたことを最大の特徴とする。以下、本発明にかかる墓地カロート用土壌改良材１の実施形態を、図面に基き説明する。
【００１３】
図１は、本発明にかかる墓地カロート用土壌改良材１の構成を示す説明図である。
すなわち、該墓地カロート用土壌改良材１は、赤玉土２と、スコリア３と、麦飯石４と、から構成されている。
【００１４】
赤玉土２は、別名、関東ローム層赤土ともいわれ、名前の通り、玉状の土壌である。土の色は黄褐色または赤褐色であって、その保水性及び排水性の特性から、一般に園芸用土としてよく用いられている。かかる赤玉土２の酸度は、ｐＨ６．５前後の弱酸性となっている。この赤玉土２の作用により、アルカリ土壌を中和させ、かつ、土壌中へ適度な保水を行うための保水・排水性能を備えさせることができる。
【００１５】
スコリア３は、火山噴出物の一種で、塊状で多孔質のもののうち暗色のものである。主に玄武岩質のマグマが噴火の際に地下深部から上昇し、減圧することによってマグマに溶解していた水などの揮発成分が発泡したため多孔質となったものであって、一般に黒色〜暗灰色であるが、噴出した時の条件によってはマグマに含まれる鉄分が酸化して酸化鉄となり、紫〜赤色となる場合がある。かかるスコリア３の酸度は、ｐＨ７．５前後の中性となっている。このスコリア３は、多孔質であるため、適度の保水性を有するとともに、土壌浄化の作用を備えるものである。
【００１６】
麦飯石４は、無数の微細な孔がある岩石で、通常、豆粒あるいは米粒大の粒状で、黄白色となっている。かかる麦飯石４は、その多孔質の特性を利用して、一般に粒状のものは濾過材や水のｐＨ調整剤として使用され、また、粉末状のものは入浴剤等に使用されている。かかる麦飯石４の酸度は、ｐＨ８前後の弱アルカリ性となっている。この麦飯石４により、土壌の浄化作用が発揮され、特に雨水や湿気等の凝水を浄化して土壌中に浸透させることができる。
【００１７】
上記赤玉土２、スコリア３及び麦飯石４を適宜混合することで、本発明にかかる墓地カロート用土壌改良材１が完成する。
このとき、麦飯石４について、細粒化されている構成が考え得る。すなわち、該麦飯石４は、一般的に豆粒あるいは米粒大の粒状で使用する場合が多いが、細粒化した粉末状であっても、その性質等に特段の差はなく、本発明の墓地カロート用土壌改良材１全体に麦飯石４を満遍なく行き渡らせるべく、該麦飯石４を細粒化して混合する態様が考えられる。
【００１８】
本発明にかかる墓地カロート用土壌改良材１として、赤玉土２、スコリア３及び麦飯石４を混合するに際し、スコリア３と麦飯石４との混合割合を、容積比２０対１〜２０対３の範囲内とすることが望ましい。例えば、スコリア３が４リットルに対し、麦飯石４は０．２〜０．６リットル程度混合することとなる。麦飯石４は弱アルカリ性であるため、多く配合すると墓地カロート用土壌改良材１自体がアルカリ質になってしまい、その場合にアルカリ土壌の中和という本発明の目的に反することとなる。また、墓地におけるカロート１１内及びその周囲の土壌改良として、本墓地カロート用土壌改良材１に混合する麦飯石４の量としては、上記のように若干量で充分に機能を発揮し得るものである。
【００１９】
また、本発明にかかる墓地カロート用土壌改良材１として、赤玉土２、スコリア３及び麦飯石４を混合するに際し、赤玉土２とスコリア３及び麦飯石４の混合物との混合割合を、容積比６対１〜６対３の範囲内とすることが望ましい。例えば、赤玉土２が１２リットルに対し、スコリア３及び麦飯石４の混合物は２〜６リットル程度混合することとなる。赤玉土２は弱酸性であるため、多く配合することで墓地カロート用土壌改良材１自体を酸性質に保ち、アルカリ土壌の中和という本発明の目的に資することとなる。
【００２０】
次に、以上の通り構成される本発明にかかる墓地カロート用土壌改良材１の使用例について、以下、図面に基づき説明する。
図２は、本発明にかかる墓地カロート用土壌改良材１の使用例を示す説明図である。
【００２１】
図面に示すように、本発明にかかる墓地カロート用土壌改良材１は、墓地におけるカロート（納骨堂）１１において使用されるものである。すなわち、カロート１１は、底面を強アルカリのコンクリートによるベタ基礎として、側面を強アルカリのコンクリート壁あるいは大谷石や御影石等の石材によって囲むことで、略密閉の箱型構造となっている。かかるカロート１１について、上部の重い墓石１０本体を支えることとなるため、現状として少なくとも基礎部分についてコンクリート以外のものを使ってカロート１１を作ることは考えられない。
【００２２】
かかるカロート１１内に骨１２を埋葬するに際し、該骨１２を土壌として自然に還すべく、本発明にかかる墓地カロート用土壌改良材１をカロート１１内に程よく敷き詰める。このとき、例えば本発明以外の一般的な土壌を敷き詰めた場合、強アルカリのコンクリートの影響で、敷き詰めた土壌もアルカリ化されてしまう。したがって、アルカリ土壌の中和作用を備える土壌、すなわち本発明にかかる墓地カロート用土壌改良材１を敷き詰めることを要する。
【００２３】
なお、本発明にかかる墓地カロート用土壌改良材１について、カロート１１内にのみ敷き詰めるのではなく、図面に示すように、その周囲の土壌として使用する態様が可能である。すなわち、カロート１１に使われるコンクリートのアルカリ化作用は、カロート１１内だけでなくその周辺土壌Ｇにも影響を及ぼすため、その周辺土壌Ｇに代わって墓地カロート用土壌改良材１をカロート１１周囲に用いることで、より中和作用効果を奏することが可能となる。
このとき、墓石１０の新規建立の時点で、カロート１１の周囲に該当する部分の周辺土壌Ｇを墓地カロート用土壌改良材１で敷設すればよく、あるいは、既存の墓石１０に対しては、周辺土壌Ｇを掘り起こして除去した後に、墓地カロート用土壌改良材１で埋め戻すようにすればよい。
【００２４】
本発明にかかる墓地カロート用土壌改良材１を敷き詰めたカロート１１内には、埋葬すべき骨１２が、骨壷や骨袋に入れられた状態、あるいは、骨壷や骨袋から出した状態で載置され、また、必要に応じて敷き詰められた墓地カロート用土壌改良材１中に埋葬されることとなる。
骨１２を骨壷や骨袋から出した状態で載置あるいは墓地カロート用土壌改良材１中に埋葬した場合には、年月の経過とともにその骨１２は風化し、自然へと還ることとなる。これに対し、骨１２が骨壷や骨袋に入れられた状態でカロート１１内に載置されている場合には、そのままでは風化することがない。したがって、カロート１１内が骨壷や骨袋で一杯になった段階で、骨１２を骨壷や骨袋から出して墓地カロート用土壌改良材１へ撒いたり埋めたりすることが必要となる。なお、骨壷や骨袋自体が生分解質材料により製造されていれば、該骨壷や骨袋に入れられた状態のままカロート１１内に載置しても構わない。
【００２５】
以上、本発明にかかる墓地カロート用土壌改良材１について説明したが、上記実施形態はあくまで例示であって、本発明が上記実施形態や図示した構造に限定されるものではない。
例えば、本発明にかかる墓地カロート用土壌改良材１は、あらゆる構造の墓地におけるカロート１１及びその周辺に使用することが可能であって、コンクリートにより略密閉されていないカロート１１に使用することも充分に考え得る。
【００２６】
また、本発明における赤玉土２とスコリア３と麦飯石４の混合割合については、既存土壌の性質や、今後改良される可能性のある墓石１０やカロート１１の材質等に鑑みて、適宜最良の混合割合が決定されればよく、上記実施形態の混合割合に限定されるものではない。
【００２７】
さらには、上記実施形態において、麦飯石４の使用態様として、該麦飯石４の形状が粒状あるいは粉末状のものを、夫々単独で使用する態様について説明したが、これら粒状と粉末状とを混合たものを使用する態様も考えられる。
【産業上の利用可能性】
【００２８】
本発明は、墓地におけるカロート１１内及びその周辺土壌に使用するための墓地カロート用土壌改良材１としての発明であるが、アルカリ化環境において非化学薬品による中和を欲する場面において、天然に存在する自然物を利用して構成されている本発明は、その欲求を充足するものであり、その中和作用の効果も充分に発揮することが可能である。したがって、本発明の産業上の利用可能性は大といえる。
【符号の説明】
【００２９】
１    墓地カロート用土壌改良材
２    赤玉土
３    スコリア
４    麦飯石
１０    墓石
１１    カロート（納骨堂）
１２    骨
Ｇ    周辺土壌
【図１】
2011116826.tif 000003
【図２】
2011116826.tif 000004